(57)【要約】【課題】リーダライタのループアンテナとＲＦＩＤタグの距離を可能な限り近づけるために、ループアンテナをリーダライタ本体と別体に設けることにより、ＲＦＩＤタグとの距離を近づけて情報を正確に読み取ることができ、且つ送信電力を極力小さくしたリーダライタを提供する。【解決手段】このリーダライタ５０は、可般型でＲＦＩＤタグ２を取り付けた物品１を収納するバッグ３と、このバッグ３の所定の位置に取り付けられた少なくとも１つ以上のループアンテナ４と、ループアンテナ４を介して所定の変調方式に基づく搬送電力の送信とデータの授受をＲＦＩＤタグ２との間で非接触にて行う制御部８と、ループアンテナ４と制御部８とを接続するアンテナコネクタ５と、制御部８に対して操作指示信号を供給するＰＣ１０とを備えて構成される。【選択図】      図１
2005031924.tif 000002
【特許請求の範囲】
【請求項１】
ＲＦＩＤタグを備えた物品を収納するバッグと、該バッグの所定の位置に取り付けられた少なくとも１つ以上のループアンテナと、該ループアンテナを介して所定の変調方式に基づく搬送電力の送信とデータの授受を前記ＲＦＩＤタグとの間で非接触にて行う制御部と、前記ループアンテナと前記制御部とを接続するアンテナコネクタと、前記制御部に対して操作指示信号を供給するパーソナルコンピュータと、を備え、
前記バッグ内に前記ＲＦＩＤタグを備えた物品が収納されている場合、前記制御部と前記アンテナコネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とするリーダライタ。
【請求項２】
ＲＦＩＤタグを備えた物品を収納するバッグと、該バッグの所定の位置に取り付けられた少なくとも１つ以上のループアンテナと、前記バッグ内に設置され前記ループアンテナを介して所定の変調方式に基づく搬送電力の送信とデータの授受を前記ＲＦＩＤタグとの間で非接触にて行う制御部と、該制御部と外部のパーソナルコンピュータとを接続する制御コネクタと、前記制御部に対して操作指示信号を供給するパーソナルコンピュータとを備え、
前記バッグ内に前記ＲＦＩＤタグを備えた物品が収納されている場合、前記パーソナルコンピュータと前記制御コネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とするリーダライタ。
【請求項３】
表紙を有しＲＦＩＤタグを取り付けた書類を保持するファイルホルダと、該ファイルホルダの所定の位置に取り付けられた少なくとも１つ以上のループアンテナと、該ループアンテナを介して所定の変調方式に基づく搬送電力の送信とデータの授受を前記ＲＦＩＤタグとの間で非接触にて行う制御部と、前記ループアンテナと前記制御部とを接続するアンテナコネクタと、前記制御部に対して操作指示信号を供給するパーソナルコンピュータと、を備え、
前記ファイルホルダ内に前記ＲＦＩＤタグが取り付けられた書類が保持されている場合、前記制御部と前記アンテナコネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とするリーダライタ。
【請求項４】
箱型の形状を有しＲＦＩＤタグを取り付けた書類を収納するファイルケースと、該ファイルケースの所定の位置に取り付けられた少なくとも１つ以上のループアンテナと、該ループアンテナを介して所定の変調方式に基づく搬送電力の送信とデータの授受を前記ＲＦＩＤタグとの間で非接触にて行う制御部と、前記ループアンテナと前記制御部とを接続するアンテナコネクタと、前記制御部に対して操作指示信号を供給するパーソナルコンピュータとを備え、
前記ファイルケース内に前記ＲＦＩＤタグを取り付けた書類が収納されている場合、前記制御部と前記アンテナコネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とするリーダライタ。
【請求項５】
前記ループアンテナは、前記ＲＦＩＤタグとの距離が所定の距離以内になるように配置されていることを特徴とする請求項１、２、３又は４に記載のリーダライタ。
【請求項６】
前記制御部が前記ループアンテナに供給する送信パワーは、前記ループアンテナとＲＦＩＤタグとの距離が前記所定の距離、離間していても通信が可能な送信パワーであることを特徴とする請求項１乃至４のいずれか一項に記載のリーダライタ。
【発明の詳細な説明】
【０００１】
【発明の属する技術分野】
本発明は、リーダライタに関し、さらに詳しくは、ＲＦＩＤ（Ｒａｄｉｏ  Ｆｒｅｑｕｅｎｃｙ  ＩＤｅｎｔｉｆｉｃａｔｉｏｎ）タグとの通信距離を至近距離にて行うために、ループアンテナを別体にしたリーダライタに関するものである。
【０００２】
【従来の技術】
従来、空港における旅客荷物の管理においては、航空機に搭乗する前に各旅客の手荷物以外の荷物は荷物預かり場所において係員に預けられる。そして荷物の仕分けを簡略化するために、個々の荷物にはタグが付けられ、その半券が搭乗者に渡される。タグには整理番号・搭乗便名・行き先空港名などの荷物に関する情報が記載される。この後、各荷物は係員によって搭乗便毎に仕分けされて飛行機に搭載される。一方、航空機が目的地の空港に着くと、旅客の荷物はパレットやコンテナに積載して飛行機から空港施設に運ばれた後、空港係員によって１つずつタグが確認された後、コンベヤに載せられて荷物引き渡し場所に搬送される。この間、旅客はコンベヤの前で自分の荷物が現れるのを待つ。また、旅客が荷物を受け取るときには、荷物に付けられたタグと半券とが一致することが係員によって確認され、これらが一致したときに旅客は荷物を受け取ることができる。
また、陸上における貨物の運送業における貨物管理においても、前述の航空機による場合と同様に、タグやラベルを付けて個々の貨物を判別できるようにしている。また、運送先が異なる複数の荷物を１つのトラックで運搬するときは、目的地毎に人手によって個々の貨物を確認しながら降ろしていた。
しかし、人手によって個々の荷物を確認する作業は非常に面倒であると共に間違いが起こりやすい。このため、個々の荷物を判別する情報を記録したＲＦＩＤ（Ｒａｄｉｏ  Ｆｒｅｑｕｅｎｃｙ  ＩＤｅｎｔｉｆｉｃａｔｉｏｎ）タグを荷物に付け、リーダライタを用いて荷物の判別や確認を行うことにより間違い発生率の低減及び判別や確認に要する時間の短縮を図る工夫が提案されている。その一例として、トンネル型のリーダライタにＲＦＩＤタグを取り付けた荷物を通過させることにより、自動的に各荷物の記録情報を読み取る装置が既にある。
【０００３】
図６には従来のトンネル型リーダライタの構成を示す図である。このトンネル型リーダライタ１００は、内部を貫通する穴を備えたトンネル型の筐体１０１と、この筐体１０１の所定の位置に埋め込まれたループアンテナ１０２、１０３と、ループアンテナ１０２、１０３に搬送電力を供給するために筐体の適所に配置されたリーダライタ１０７と、外部からリーダライタ１０７を制御するパーソナルコンピュータ１０８（以下、ＰＣと記す）とを備えて構成される。このトンネル型リーダライタ１００の特徴は、筐体１０１の所定の場所に配置されたループアンテナ１０２、１０３から搬送電力を送信して、荷物１０４に取り付けられたＲＦＩＤタグ１０５の記録情報を読むことにより、筐体１０１に備えられた図示しないベルトコンベアにより、形状が異なる多数の荷物を連続的に筐体内を通過させる過程で、各ＲＦＩＤタグの記録情報を短時間で読み取り処理するところにある。そのために、ループアンテナ１０２、１０３からは比較的大出力の電波が送信され、ある程度ループアンテナ１０２、１０３とＲＦＩＤタグ１０６との距離が離れていても、通信が可能となるように考慮されている。しかしながら、近年では、小さな物品に取り付ける目的でＲＦＩＤタグの形状が更に小型化されている。このような場合には、物品が小さく且つＲＦＩＤタグが小型化された分だけループアンテナとＲＦＩＤタグとの通信距離が更に離れることになり、記録情報を正確に読み取れなくなるといった現象が発生している。この不具合を解決するためには、ループアンテナからの搬送電力を更に強くしなければならないが、法規制との兼ね合いでそれにも限界がある。
また、宝石等の比較的高価で且つ形状が小さい物品については、種類、価格、サイズ等々の個別情報を記録した小型のＲＦＩＤタグを夫々取り付け、紛失を防止するために施錠が可能なバッグ等に複数の宝石等を一括収納して運搬に供される。
ところで、バッグを受け取った人、或いは運送業者が、バッグを開錠しない状態でその中身を確認する必要がある場合には、従来のトンネル型のリーダライタを使用することが考えられるが、この種のリーダライタは、前述のように情報読取りが不正確となる問題が発生する。
【０００４】
【発明が解決しようとする課題】
以上の通り、従来のトンネル型のリーダライタは、多数の荷物に付されたＲＦＩＤタグの記録情報を連続的且つ短時間で処理することは可能であるが、ループアンテナとＲＦＩＤタグとの距離の関係で、必ずしも全てのＲＦＩＤタグの情報を正確に読めるとは限らず、しかも、一括処理するために搬送電力を大きくしなければならないため装置が大型化すると言った問題がある。
本発明は、かかる課題に鑑み、リーダライタのループアンテナとＲＦＩＤタグの距離を可能な限り近づけるために、ループアンテナをリーダライタ本体と別体に設けることにより、ＲＦＩＤタグとの距離を近づけて記録情報を正確に読み取ることができ、且つ搬送電力を極力小さくしたリーダライタを提供することを目的する。
【０００５】
【課題を解決するための手段】
本発明はかかる課題を解決するために、請求項１は、ＲＦＩＤタグを備えた物品を収納するバッグと、該バッグの所定の位置に取り付けられた少なくとも１つ以上のループアンテナと、該ループアンテナを介して所定の変調方式に基づく搬送電力の送信とデータの授受を前記ＲＦＩＤタグとの間で非接触にて行う制御部と、前記ループアンテナと前記制御部とを接続するアンテナコネクタと、前記制御部に対して操作指示信号を供給するパーソナルコンピュータと、を備え、前記バッグ内に前記ＲＦＩＤタグを備えた物品が収納されている場合、前記制御部と前記アンテナコネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とする。
従来のトンネル型のリーダライタにおいては、形状が不特定な荷物に取り付けられたＲＦＩＤタグの記録情報を読み取るために、ループアンテナとＲＦＩＤタグとの距離をある程度大きく確保して、且つループアンテナからの搬送波電力パワーを大きくせざるを得なかった。そのために、対象となる物品が小さすぎる場合には、必要以上にループアンテナとの距離が離間してしまい、場合によっては交信が正常におこなわれない場合が発生した。例えば、宝石等の比較的高価で且つ物品の形状が小さいものは、夫々に小型のＲＦＩＤタグを取り付け、紛失を防止するために施錠が可能なバッグに一括して収納されて運搬に供されることがある。この場合、バッグを開ける前にバッグの外から正確に中身を確認できれば、判別や確認に要する時間の短縮を図ることができる。そこで本発明では、対象となる物品が小さく、且つ夫々の物品にＲＦＩＤタグが取り付けられている場合には、ループアンテナを内部に配置したバッグを用意し、そのバッグの中に対象となる物品を入れてループアンテナとＲＦＩＤタグの距離を近接するようにして、外部から搬送電力を供給してＲＦＩＤタグの情報を読み取るものである。
なお、バッグとは、携帯可能か否かに関係なく、物品を収容する容器、箱等々を広く含む概念である。
かかる発明によれば、ループアンテナをバッグ内に設置するので、ループアンテナとＲＦＩＤタグとの絶対的な距離が近くなり、リーダライタとＲＦＩＤタグの交信の成功率が高まり、それにより判別や確認に要する時間の短縮を図ることができ、且つリーダライタからの搬送波電力パワーを小さくすることができる。
【０００６】
請求項２は、ＲＦＩＤタグを備えた物品を収納するバッグと、該バッグの所定の位置に取り付けられた少なくとも１つ以上のループアンテナと、前記バッグ内に設置され前記ループアンテナを介して所定の変調方式に基づく搬送電力の送信とデータの授受を前記ＲＦＩＤタグとの間で非接触にて行う制御部と、該制御部と外部のパーソナルコンピュータとを接続する制御コネクタと、前記制御部に対して操作指示信号を供給するパーソナルコンピュータとを備え、前記バッグ内に前記ＲＦＩＤタグを備えた物品が収納されている場合、前記パーソナルコンピュータと前記制御コネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とする。
請求項１では、ループアンテナのみをバッグに設置する構成としたが、本発明では制御部もループアンテナと一緒にバッグに設置して、外部にはパーソナルコンピュータのみがあれば装置を構成できるようにした。これにより、特別な外部装置を備える必要がなく、汎用的なＰＣのみで装置を駆動することができる。
かかる発明によれば、ループアンテナと制御部をバッグに備えるので、特別な外部装置を備える必要がなく、汎用的なＰＣのみで装置を駆動することができる。
【０００７】
請求項３は、表紙を有しＲＦＩＤタグを取り付けた書類を保持するファイルホルダと、該ファイルホルダの所定の位置に取り付けられた少なくとも１つ以上のループアンテナと、該ループアンテナを介して所定の変調方式に基づく搬送電力の送信とデータの授受を前記ＲＦＩＤタグとの間で非接触にて行う制御部と、前記ループアンテナと前記制御部とを接続するアンテナコネクタと、前記制御部に対して操作指示信号を供給するパーソナルコンピュータと、を備え、前記ファイルホルダ内に前記ＲＦＩＤタグが取り付けられた書類が保持されている場合、前記制御部と前記アンテナコネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とする。
ファイルホルダにファイリングされた書類や文書の内容がどういうものかを確認するためには、目次を見るか、目次がないものは中身を逐一見なければ確認することができない。そこで本発明では、ファイルホルダの表紙にループアンテナを備えることにより、ファイルホルダにファイリングされた書類や文書に取り付けられたＲＦＩＤタグの情報を読み取り、当該ファイルホルダにファイリングされた書類や文書の種類や内容を外部から確認するものである。
かかる発明によれば、ファイルホルダの表紙にループアンテナを備えるので、ファイルホルダにファイリングされた書類や文書に取り付けられたＲＦＩＤタグの情報を読み取り、当該ファイルホルダにファイリングされた書類や文書の種類や内容を外部から確認することができる。
【０００８】
請求項４は、箱型の形状を有しＲＦＩＤタグを取り付けた書類を収納するファイルケースと、該ファイルケースの所定の位置に取り付けられた少なくとも１つ以上のループアンテナと、該ループアンテナを介して所定の変調方式に基づく搬送電力の送信とデータの授受を前記ＲＦＩＤタグとの間で非接触にて行う制御部と、前記ループアンテナと前記制御部とを接続するアンテナコネクタと、前記制御部に対して操作指示信号を供給するパーソナルコンピュータとを備え、前記ファイルケース内に前記ＲＦＩＤタグを取り付けた書類が収納されている場合、前記制御部と前記アンテナコネクタとを所定のケーブルにより接続し、前記パーソナルコンピュータの指示に基づいて前記制御部から前記ループアンテナに所定の変調方式に基づく搬送電力の送信を行うことにより、前記ＲＦＩＤタグのデータを読み取ることを特徴とする。
従来、ファイルケースに入れられた書類の内容を確認するためには、中に入れられた書類を取り出して中身を逐一見なければ確認することができなかった。そこで本発明では、ファイルケースの所定の位置にループアンテナを備えることにより、ファイルケースに入れられた書類に取り付けられたＲＦＩＤタグの情報を読み取り、当該ファイルケースに入れられた書類の種類や内容を外部から確認するものである。
かかる発明によれば、ファイルケースの所定の位置にループアンテナを備えるので、ファイルケースに入れられた書類に取り付けられたＲＦＩＤタグの情報を読み取り、当該ファイルケースに入れられた書類の種類や内容を外部から確認することができる。
【０００９】
請求項５は、前記ループアンテナは、前記ＲＦＩＤタグとの距離が所定の距離以内になるように配置されていることを特徴とする。
本発明の最も大きな特徴は、ＲＦＩＤタグとループアンテナの距離が至近距離に設定できる点である。従って、ループアンテナと内部に収納、或いはファイリングするＲＦＩＤタグとの距離が、最大でも所定の距離以内になるように設定されるべきである。そのためには、バッグの場合は、ループアンテナとＲＦＩＤタグを取り付けた物品が最も離れた位置関係になった場合でも、その距離が所定の距離内になるようにバッグのサイズが決定される。また、ファイルホルダやファイルケースの場合は、ループアンテナと対向するファイル用紙との距離が所定の距離以内になるような厚さに決定される。
かかる発明によれば、ループアンテナとＲＦＩＤタグとの距離が最大の場合でも所定の距離以内になるように、夫々のサイズが決定されるので、常に所定の距離以内での交信となり、確実にＲＦＩＤタグの情報を読むことができる。
請求項６は、前記制御部が前記ループアンテナに供給する送信パワーは、前記ループアンテナとＲＦＩＤタグとの距離が前記所定の距離、離間していても通信が可能な送信パワーであることを特徴とする。
かかる発明によれば、ループアンテナとＲＦＩＤタグの距離が常に所定の距離以内であるので、その距離に合った少ない送信パワーにより通信が可能であるので、電力消費が少なく且つ装置を小型化することができる。
【００１０】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係るリーダライタの構成を示す図である。このリーダライタ５０は、可般型でＲＦＩＤタグ２を取り付けた物品１を収納するバッグ３と、このバッグ３の側壁その他の所定の位置に取り付けられた少なくとも１つ以上のループアンテナ４と、このループアンテナ４と外部の制御部８とを接続するためにバッグ３の外部に配置したアンテナコネクタ５と、ループアンテナ４を介して所定の変調方式に基づく搬送電力の送信とデータの授受をバッグ内の物品１に付したＲＦＩＤタグ２との間で非接触にて行う制御部８と、この制御部８に対して操作指示信号を供給するＰＣ１０とを備えて構成される。尚、制御部８はケーブル７の先端のコネクタ６を介してアンテナコネクタ５と接続可能な構成であり、ＰＣ１０とケーブル９により接続されている。また、本実施形態ではループアンテナ４は１つとして説明しているが、これ以上有っても構わない。また、制御部の電源は図示しないが、ＰＣ１０から供給されるか、或いは制御部８の専用電源として用意しても良い。
【００１１】
次に、本実施形態のリーダライタの動作について説明する。例えば、宝石等の比較的高価で且つ物品の形状が小さいものは、夫々に種類、価格、サイズ等の情報を記録した小型のＲＦＩＤタグを取り付け、紛失を防止するために施錠が可能なバッグに一括して収納して保管したり、運搬することが考えられる。そして物品の移動は、このバッグ単位で行われ、所定の場所でバッグを開ける前にバッグの外から正確に中身を確認できれば、判別や確認に要する時間の短縮を図ることができる。本実施形態では、予めバッグ３内には、ＲＦＩＤタグが付された物品（例えば、宝石等）が収納されている。そしてバッグ３を開けずに内部の物品の記録情報を読み取るために、制御部８に備えられたケーブル７の先端のコネクタ６をバッグ３に備えられたアンテナコネクタ５に接続する。そして、操作者がＰＣ１０を操作して制御部８に対して、搬送電力の送信を指示する。その信号により制御部８は内部の回路に従って、所定の変調方式に基づいた搬送電力をループアンテナ４に供給する。ループアンテナ４はその搬送電力をバッグ３内のＲＦＩＤタグに対して送信すると、その搬送電力を受信してそれを電源としてＲＦＩＤタグが駆動して制御部８との間で通信が行われる。この通信のやり取りについては周知の動作であるので詳細な説明は省略する。このようにしてバッグ３内のＲＦＩＤタグが取り付けられた物品の記録情報が制御部８により読み取られ、ＰＣ１０によりその情報が格納される。
このような構成により、従来のトンネル型のリーダライタの欠点として挙げられていた、ループアンテナとＲＦＩＤタグとの距離をある程度とらざるを得ないために、小さな物品の場合は必要以上にループアンテナとの距離が離間してしまい、場合によっては通信が正常におこなわれないといった問題を解決することができる。つまり、制御部８とループアンテナ４を別体にして、ループアンテナ４を極力ＲＦＩＤ２に近づけるためにバッグ３の内部に配置して、外部から制御部８と接続できるようにアンテナコネクタ５を備えたものである。これにより、ループアンテナ４とＲＦＩＤタグ２との絶対的な距離が近くなり、制御部８とＲＦＩＤタグ２との交信の成功率が高まり、且つ制御部８からの送信出力を小さくすることができる。
【００１２】
図２は本発明の第２の実施形態に係るリーダライタの構成を示す図である。このリーダライタ６０は、可般型の箱型の形状を有しＲＦＩＤタグ１２を取り付けた物品１１を収納するバッグ１３と、このバッグ１３の所定の位置に取り付けられた少なくとも１つ以上のループアンテナ１４と、このループアンテナ１４を介して所定の変調方式に基づく搬送電力の送信とデータの授受をＲＦＩＤタグ１２との間で非接触にて行うためにバッグ側に装備された制御部１６と、制御部１６と外部のＰＣ２１とを接続するためにバッグ外部に配置された制御コネクタ１８と、制御部１６に対して操作指示信号を供給するＰＣ２１とを備えて構成される。尚、制御部１６はケーブル１５を介してループアンテナ１４と接続され、更にケーブル１７により制御コネクタ１８と接続されている。またＰＣ２１はケーブル２０の先端のコネクタ１９を介して制御コネクタ１８と接続可能な構成である。また、本実施形態ではループアンテナ１４は１つとして説明しているが、１つ以上あっても構わない。また、制御部の電源は図示しないが、ＰＣ２１から供給されるか、或いは制御部１６の専用電源として用意しても良い。
【００１３】
次に、本実施形態のリーダライタの動作について説明する。図２の実施形態が図１に示した実施形態と異なる点は、制御部１６がバッグ１３内に備えられている点である。予めバッグ１３内には、ＲＦＩＤタグが付された物品が収納されている。そしてバッグ３を開けずに内部の物品の記録情報を読み取るために、ＰＣ２１に備えられたケーブル２０の先端のコネクタ１９をバッグ１３に備えられた制御コネクタ１８に接続する。そして、操作者がＰＣ２１を操作して制御部１６に対して、搬送電力の送信を指示する。その信号により制御部１６は内部の回路に従って、所定の変調方式に基づいた搬送電力をループアンテナ１４に供給する。ループアンテナ１４はその搬送電力をバッグ１３内のＲＦＩＤタグに対して送信すると、その搬送電力を受信してそれを電源としてＲＦＩＤタグ１２が駆動して制御部１６との間で通信が行われる。この通信のやり取りについては周知の動作であるので詳細な説明は省略する。このようにしてバッグ１３内のＲＦＩＤタグ１２が取り付けられた物品１１についての記録情報が制御部１６により読み取られ、ＰＣ２１によりその情報が格納される。
第１の実施形態では、ループアンテナ４のみをバッグ３に設置する構成としたが、本実施形態では制御部１６もループアンテナ１４と一緒にバッグ１３に設置して、外部にはＰＣ２１のみを配置するようにした。これにより、ＰＣ以外に特別な外部装置（例えば、制御部１６）を備える必要がなく、汎用的なＰＣのみで装置を構成することができる。
【００１４】
図３は本発明の第３の実施形態に係るリーダライタの構成を示す図である。このリーダライタ７０は、表紙３３ａ、３３ｂを有しＲＦＩＤタグ３１を取り付けたファイル用紙３０を狭持するファイルホルダ３３と、このファイルホルダ３３の表紙３３ａに取り付けられた少なくとも１つ以上のループアンテナ３４と、このループアンテナ３４と外部の制御部３９とを接続するためにファイルホルダ３３の外部に配置されたアンテナコネクタ３６と、ループアンテナ３４を介して所定の変調方式に基づく搬送電力の送信とデータの授受をＲＦＩＤタグ３１との間で非接触にて行う制御部３９と、この制御部３９に対して操作指示信号を供給するＰＣ４０とを備えて構成される。
次に、本実施形態のリーダライタの動作について説明する。図３の実施形態が図１に示した実施形態と異なる点は、バッグ３の代わりにファイルホルダ３３を適用対象とした点である。予めファイルホルダ３３内には、バインダ３５によりＲＦＩＤタグ３１を取り付けた書類３０がファイリングされている。そしてファイルホルダ３３を開けずに内部の書類３０のＲＦＩＤタグ３１に記録された情報を読み取るために、制御部３９に備えられたケーブル３８の先端のコネクタ３７をファイルホルダ３３に備えられたアンテナコネクタ３６に接続する。そして、操作者がＰＣ４０を操作して制御部３９に対して、搬送電力の送信を指示する。その信号により制御部３９は内部の回路に従って、所定の変調方式に基づいた搬送電力をループアンテナ３４に供給する。ループアンテナ３４はその搬送電力をファイルホルダ３３内のＲＦＩＤタグ３１に対して送信すると、その搬送電力を受信してそれを電源としてＲＦＩＤタグ３１が駆動して制御部３９との間で通信が行われる。この通信のやり取りについては周知の動作であるので詳細な説明は省略する。このようにしてファイルホルダ３３内のＲＦＩＤタグ３１が取り付けられた書類３０の情報が制御部３９により読み取られ、ＰＣ４０によりその情報が格納される。
【００１５】
このように、ファイルホルダ３３にファイリングされた書類等の内容を確認するためには目次、見出しラベルを見るか、目次等がないものについては文書の中身を逐一見なければ確認することができない。そこで本実施形態では、ファイルホルダ３３の表紙３３ａ若しくは３３ｂにループアンテナ３４を備えることにより、ファイルホルダ３３にファイリングされた書類３０に取り付けられたＲＦＩＤタグ３１の情報を読み取り、このファイルホルダ３３にファイリングされた書類の種類や内容を外部から確認するようにしたものである。これにより、ファイルホルダ３３にファイリングされた文書に取り付けられたＲＦＩＤタグ３１の記録情報を読み取り、当該ファイルホルダ３３にファイリングされた原稿の種類や内容を外部から確認することができる。
【００１６】
図４は本発明の第４の実施形態に係るリーダライタの構成を示す図である。このリーダライタ８０は、箱型の形状を有しＲＦＩＤタグ９１を取り付けた書類９０を収納するファイルケース９２と、このファイルケース９２の側面に取り付けられた少なくとも１つ以上のループアンテナ９３と、このループアンテナ９３と外部の制御部９８とを接続するアンテナコネクタ９５と、ループアンテナ９３を介して所定の変調方式に基づく搬送電力の送信とデータの授受をＲＦＩＤタグ９１との間で非接触にて行う制御部９８と、この制御部９８に対して操作指示信号を供給するＰＣ１１０とを備えて構成される。
次に、本実施形態のリーダライタの動作について説明する。図４の実施形態が図１に示した実施形態と異なる点は、バッグ３の代わりにファイルケース９２とした点である。予めファイルケース９２内には、ＲＦＩＤタグ９１を取り付けた書類９０が入れられている。そして書類９０を取り出さずに内部の書類９０に取り付けられたＲＦＩＤタグ９１に記録された情報を読み取るために、制御部９８に備えられたケーブル９７の先端のコネクタ９６をファイルケース９２に備えられたアンテナコネクタ９５に接続する。そして、操作者がＰＣ１１０を操作して制御部９８に対して、搬送電力の送信を指示する。その信号により制御部９８は内部の回路に従って、所定の変調方式に基づいた搬送電力をループアンテナ９３に供給する。ループアンテナ９３はその搬送電力をファイルケース９２内のＲＦＩＤタグ９１に対して送信すると、その搬送電力を受信してそれを電源としてＲＦＩＤタグ９１が駆動して制御部９８との間で通信が行われる。この通信のやり取りについては周知の動作であるので詳細な説明は省略する。このようにしてファイルケース９２内のＲＦＩＤタグ９１が取り付けられた書類９０の情報が制御部９８により読み取られ、ＰＣ１１０によりその情報が格納される。
【００１７】
このように、ファイルケース９２に入れられた書類９０の内容を確認するためには、ファイルケース９２の中に入れられた書類９０を取り出して中身を逐一見なければ確認することができない。そこで本実施形態では、ファイルケース９２の側面にループアンテナ９３を備えることにより、ファイルケース９２に入れられた書類９０に取り付けられたＲＦＩＤタグ９１の情報を読み取り、当該ファイルケース９２に入れられた書類９０の種類や内容を外部から確認するものである。これにより、ファイルケース９２に入れられた書類９０に取り付けられたＲＦＩＤタグ９１の情報を読み取り、当該ファイルケース９２に入れられた原稿の種類や内容を外部から確認することができる。
【００１８】
図５は本発明の第５の実施形態に係るリーダライタの構成を示す図である。このリーダライタ２００は、２段構造の箱型の形状を有しＲＦＩＤタグ８１を取り付けた書類８２を収納する上段ケース８４と、この上段ケース８４の底面に取り付けられた少なくとも１つ以上のループアンテナ８３と、この上段ケース８４の下段に構成された下段ケース８６と、この下段ケース８６の底面に取り付けられた少なくとも１つ以上のループアンテナ８５と、このループアンテナ８３と８５と外部の制御部２０１とを接続するアンテナコネクタ８８と、ループアンテナ８３、８５を介して所定の変調方式に基づく搬送電力の送信とデータの授受をＲＦＩＤタグ８１との間で非接触にて行う制御部２０１と、この制御部２０１に対して操作指示信号を供給するＰＣ２０３とを備えて構成される。
次に、本実施形態のリーダライタの動作について説明する。図５の実施形態が図１に示した実施形態と異なる点は、バッグ３の代わりに２段構成の上下ケース８４、８６とした点である。そして例えば上段ケース８４は上司に査閲を受けるための書類を入れる入りケースとし、下段ケース８６は査閲済の書類を入れる出ケースとした場合、上段ケース８４内には、ＲＦＩＤタグ８１を取り付けた書類８２が入れられる。書類８２に取り付けられたＲＦＩＤタグ８１（又はＲＦＩＤタグ８１を取り付けたファイルケースに書類８２を入れても良い）に記録された情報を読み取るために、制御部２０１に備えられたケーブル８９の先端のコネクタ８８を下段ケース８６に備えられたアンテナコネクタ２０４に接続する。そして、上司がＰＣ２０３を操作するか、或いは自動的に制御部２０１に対して、搬送電力の送信を指示する。その信号により制御部２０１は内部の回路に従って、所定の変調方式に基づいた搬送電力をループアンテナ８３、８５に供給する。ループアンテナ８３、８５はその搬送電力を上段ケース８４内のＲＦＩＤタグ８１に対して送信すると、その搬送電力を受信してそれを電源としてＲＦＩＤタグ８１が駆動して制御部２０１との間で通信が行われる。この通信のやり取りについては周知の動作であるので詳細な説明は省略する。このようにして上段ケース８４内のＲＦＩＤタグ８１が取り付けられた書類８２の情報が制御部２０１により読み取られ、ＰＣ２０３によりその情報が格納される。上司はこの情報を見て緊急の書類があるか否かを判断して査閲して、下段ケース８６に入れる。その情報は制御部２０１により読み取られ、ＰＣ２０３によりその情報が格納される。このようにして、書類の緊急度により査閲の優先度を決定することができる。また、下段ケース８６から出ていった書類名がＰＣ２０３に記憶される。
【００１９】
【発明の効果】
以上記載のごとく請求項１の発明によれば、ループアンテナをバッグ内に設置するので、ループアンテナとＲＦＩＤタグとの絶対的な距離が近くなり、リーダライタとＲＦＩＤタグの交信の成功率が高まり、それにより判別や確認に要する時間の短縮を図ることができ、且つリーダライタからの搬送波電力パワーを小さくすることができる。
また請求項２では、ループアンテナと制御部をバッグに備えるので、特別な外部装置を備える必要がなく、汎用的なＰＣのみで装置を駆動することができる。
また請求項３では、ファイルホルダの表紙にループアンテナを備えるので、ファイルホルダにファイリングされた書類や文書に取り付けられたＲＦＩＤタグの情報を読み取り、当該ファイルホルダにファイリングされた書類や文書の種類や内容を外部から確認することができる。
また請求項４では、ファイルケースの所定の位置にループアンテナを備えるので、ファイルケースに入れられた書類に取り付けられたＲＦＩＤタグの情報を読み取り、当該ファイルケースに入れられた書類の種類や内容を外部から確認することができる。
また請求項５では、ループアンテナとＲＦＩＤタグとの距離が最大の場合でも所定の距離以内になるように、夫々のサイズが決定されるので、常に所定の距離以内での交信となり、確実にＲＦＩＤタグの情報を読むことができる。
また請求項６では、ループアンテナとＲＦＩＤタグの距離が常に所定の距離以内であるので、その距離に合った少ない送信パワーにより通信が可能であるので、電力消費が少なく且つ装置を小型化することができる。
【図面の簡単な説明】
【図１】本発明の第１の実施形態に係るリーダライタの構成を示す図である。
【図２】本発明の第２の実施形態に係るリーダライタの構成を示す図である。
【図３】本発明の第３の実施形態に係るリーダライタの構成を示す図である。
【図４】本発明の第４の実施形態に係るリーダライタの構成を示す図である。
【図５】第５の実施形態に係るリーダライタの構成を示す図である。
【図６】従来のトンネル型リーダライタの構成を示す図である。
【符号の説明】
１  物品、２  ＲＦＩＤタグ、３  バッグ、４  ループアンテナ、５  アンテナコネクタ、８  制御部、１０  ＰＣ
【図１】
2005031924.tif 000003
【図２】
2005031924.tif 000004
【図３】
2005031924.tif 000005
【図４】
2005031924.tif 000006
【図５】
2005031924.tif 000007
【図６】
2005031924.tif 000008